(57)【要約】【課題】排版時に、Ａ２サイズの用紙と対応して形成した跳ね上げ板の側面が版胴の側面側に倒れるのを抑制する。【解決手段】版胴１１の外周面の一部にクランプ板１６と跳ね上げ板２１とを開閉可能に設けた際、跳ね上げ板２１はクランプ板１６によるクランプを解除された孔版原紙Ｇの先端部Ｇａを跳ね上げるための跳ね上げ面２１ａが版胴１１の軸方向に沿って長尺に形成され、且つ、跳ね上げ面２１ａの両端を曲げ形成した一対の側面２１ｂにカムフォロワー２５が取り付けられており、孔版原紙Ｇの排版時に、跳ね上げ用カム４２ｃによってカムフォロワー２５を押圧する動作に伴って跳ね上げ板２１の側面２１ｂが版胴１１の側面１１ｂ側に倒れるのを抑制する跳ね上げ板倒れ抑制部材２６を版胴１１の側面１１ｂ上に取り付けたことを特徴とする孔版印刷装置１を提供する。【選択図】図３
2015142983.tif 000002
【特許請求の範囲】
【請求項１】
外周面が円筒状に形成され、中心軸を中心に回転する版胴と、
前記版胴の外周面の一部に開閉可能に設けられ、製版済みの孔版原紙の先端部をクランプして該孔版原紙を前記版胴の外周面に巻き付けるクランプ板と、
前記版胴の外周面の一部に開閉可能に設けられ、前記クランプ板によるクランプを解除された前記孔版原紙の先端部を跳ね上げるための跳ね上げ面が前記版胴の軸方向に沿って長尺に形成され、且つ、前記跳ね上げ面の両端を曲げ形成した一対の側面にカムフォロワーが取り付けられた跳ね上げ板と、
前記カムフォロワーに接離する跳ね上げ用カムを有するカム体と、を備えた孔版印刷装置において、
前記孔版原紙の排版時に、前記跳ね上げ用カムによって前記カムフォロワーを押圧する動作に伴って前記跳ね上げ板の側面が前記版胴の側面側に倒れるのを抑制する跳ね上げ板倒れ抑制部材を前記版胴の側面上に取り付けたことを特徴とする孔版印刷装置。
【請求項２】
前記跳ね上げ板倒れ抑制部材は、前記跳ね上げ用カムによって押圧された前記カムフォロワーと当接して回動することにより、前記跳ね上げ板の側面の倒れ方向とは反対方向に該跳ね上げ板の側面を押圧することを特徴とする請求項１記載の孔版印刷装置。
【発明の詳細な説明】
【技術分野】
【０００１】
本発明は、回転可能な版胴の外周面の一部に、クランプ板と跳ね上げ板とを開閉可能に取り付けた孔版印刷装置に関する。
【背景技術】
【０００２】
一般的に、孔版印刷装置は、回転可能な円筒状の版胴の外周面に沿って製版済みの孔版原紙をクランプ板を介して巻回させ、且つ、版胴内に供給したインクを孔版原紙に形成した穿孔画像部分を通過させて用紙上にインク画像を印刷するものであり、１版分の孔版原紙により同一のインク画像を多数枚印刷することができるので多用されている。
【０００３】
この種の孔版印刷装置において、本出願人は、先に、版胴の外周面の一部に製版済みの孔版原紙の先端部を係止する孔版原紙係止装置を提案している（例えば、特許文献１参照）。
【０００４】
特許文献１に開示された孔版原紙係止装置は、ここでの図示を省略するが、回転可能な円筒状の版胴の外周面の一部に設けられている。
【０００５】
上記した孔版原紙係止装置は、版胴の外周面の一部にこの版胴の軸方向に沿って固着させた長尺な版取付座と、版取付座上に版胴の軸方向に沿って設けられた磁石板と、版取付座上で磁石板と対向して開閉可能に設けられて製版済みの孔版原紙の先端部を着版時にクランプするクランプ板と、版取付座上に開閉可能に設けられてクランプ板によるクランプを解除された孔版原紙の先端部を排版時に版取付座上から跳ね上げる跳ね上げ板とを有する孔版原紙クランプ部と、クランプ板を開閉する第１カムと、跳ね上げ板を開閉する第２カムとを有するカム駆動部とで構成されている。
【０００６】
従って、孔版原紙クランプ部は版胴の外周面の一部に設けられ、一方、カム駆動部は版胴の軸方向の一対の側面近傍に設けられている。
【先行技術文献】
【特許文献】
【０００７】
【特許文献１】特開２００１−２１９６３８号公報
【発明の概要】
【発明が解決しようとする課題】
【０００８】
ところで、特許文献１に開示された孔版原紙係止装置では、着版時に製版済みの孔版原紙の先端部を版取付座上の磁石板とクランプ板との間でクランプさせることができ、且つ、排版時にクランプ板によるクランプを解除された孔版原紙の先端部を跳ね上げ板で版取付座上から跳ね上げることができる。
【０００９】
この際、一般的に使用されている孔版印刷装置において、円筒状の版胴は、用紙最大サイズとしてＡ３サイズ（４２０ｍｍ×２９７ｍｍ）の用紙を印刷するために、版胴の直径がＡ３サイズの用紙の長手方向の長さ４２０ｍｍと対応してφ１８０ｍｍ程度に設定されており、且つ、版胴の軸方向の長さはＡ３サイズの用紙の短手方向の長さ２９７ｍｍと対応して設定されている。
【００１０】
一方、最近、Ａ３サイズ（４２０ｍｍ×２９７ｍｍ）の用紙よりも大型サイズで例えばＡ２サイズ（５９４ｍｍ×４２０ｍｍ）の用紙を印刷できる孔版印刷装置の開発が要望されている。
【００１１】
この際、Ａ２サイズの用紙への印刷を可能とする孔版印刷装置の開発にあたって、Ａ２サイズ用の版胴の直径を大径化せずに、Ａ２サイズ用の版胴の直径をＡ２サイズの用紙の短手方向の長さ（４２０ｍｍ）に対応させてＡ３サイズ用と同じ値であるφ１８０ｍｍ程度に設定した場合に、Ａ２サイズ用の版胴の軸方向の長さはＡ２サイズの用紙の長手方向の長さ５９４ｍｍと対応してＡ３サイズの約２倍程度長尺に設定されることになる。
【００１２】
これに伴って、磁石板の長さ，クランプ板のクランプ面の長さ，跳ね上げ板の跳ね上げ面の長さは、Ａ３サイズ用の場合に対して約２倍程度長尺になる。
【００１３】
この際、Ａ２サイズ用に対応して形成したクランプ板は、磁性を有して厚みが１ｍｍのステンレス材（ＳＵＳ４００番台系）を用いて剛性を低く抑えて、着版時にクランプ板のクランプ面が孔版原紙を介して磁石板に吸着されているので、磁石板及びクランプ面の長さがＡ３サイズ用の場合よりも約２倍程度長くなっていても、クランプ面を第１カムにより開くことが可能である。
【００１４】
一方、Ａ２サイズ用に対応して形成した跳ね上げ板は、クランプ板よりも厚みを厚くして剛性を高めて孔版原紙の先端部を跳ね上げる必要があるが、跳ね上げ面の長さがＡ３サイズ用の場合よりも約２倍程度長くなると、跳ね上げ面の長手方向の中央部位の強度が弱くなるので、排版時に跳ね上げ板を第２カムにより開いたときに跳ね上げ面の長手方向の中央部位が版胴の外周面からから離間する方向に約２ｍｍ程度撓んでしまうという新たな問題が発生し、この原因について図７を用いて説明する。
【００１５】
即ち、図７に示す如く、一般的な孔版印刷装置１００において、例えばＡ２サイズの用紙と対応して版胴１０１は、軸方向の長さがＡ３サイズの用紙の場合よりも約２倍程度長尺に形成されているものとする。
【００１６】
上記に伴って、版胴１０１の外周面１０１ａの一部に開閉可能に設けた跳ね上げ板１０２もＡ２サイズの用紙と対応して跳ね上げ面１０２ａが長尺に形成されている。
【００１７】
この際、跳ね上げ板１０２を開いて版胴１００の外周面１０１ａに巻き付けた不図示の孔版原紙を排版するときに、跳ね上げ板１０２の跳ね上げ面１０２ａの長手方向の両端を曲げ形成した一対の側面１０２ｂ，１０２ｂが、版胴１０１の軸方向と直交する一対の側面１０１ｂ，１０１ｂ側に取り付けた一対の回動軸１０３，１０３を介して回動可能に支持されている。
【００１８】
そして、跳ね上げ板１０２の一対の側面１０２ｂ，１０２ｂに一対の軸部１０４，１０４を介して取り付けた一対のカムフォロワー１０５，１０５に一対の第２カム１０６，１０６で押し下げ力を加えると、一対の第２カム１０６，１０６の押し下げ力により跳ね上げ板１０２の一対の側面１０２ｂ，１０２ｂに版胴１０１の一対の側面１０１ｂ，１０１ｂ側に向かう方向の倒れが発生する。
【００１９】
このとき、跳ね上げ板１０２の跳ね上げ面１０２ａの長手方向の中央部位は強度が低下しているために、跳ね上げ板１０２の一対の側面１０２ｂ，１０２ｂの倒れにより跳ね上げ板１０２の跳ね上げ面１０２ａの長手方向の中央部位が版胴１０１の外周面１０１ａから離間する方向に約２ｍｍ程度の撓みが生じる。
【００２０】
これにより、跳ね上げ板１０２の跳ね上げ面１０２ａが不図示の排版ユニット内の部材に衝突するなどの問題が発生し、孔版原紙を排版できなくなる。
【００２１】
そこで、例えばＡ２サイズの用紙と対応して跳ね上げ板の跳ね上げ面を長尺に形成した際、使用済みの孔版原紙を排版するために跳ね上げ板の跳ね上げ面を開いたときに、跳ね上げ板の側面が版胴の側面側に倒れるのを抑制できる孔版印刷装置を提供することを目的とする。
【課題を解決するための手段】
【００２２】
本発明は上記課題に鑑みてなされたものであり、第１の発明は、外周面が円筒状に形成され、中心軸を中心に回転する版胴と、
前記版胴の外周面の一部に開閉可能に設けられ、製版済みの孔版原紙の先端部をクランプして該孔版原紙を前記版胴の外周面に巻き付けるクランプ板と、
前記版胴の外周面の一部に開閉可能に設けられ、前記クランプ板によるクランプを解除された前記孔版原紙の先端部を跳ね上げるための跳ね上げ面が前記版胴の軸方向に沿って長尺に形成され、且つ、前記跳ね上げ面の両端を曲げ形成した一対の側面にカムフォロワーが取り付けられた跳ね上げ板と、
前記カムフォロワーに接離する跳ね上げ用カムを有するカム体と、を備えた孔版印刷装置において、
前記孔版原紙の排版時に、前記跳ね上げ用カムによって前記カムフォロワーを押圧する動作に伴って前記跳ね上げ板の側面が前記版胴の側面側に倒れるのを抑制する跳ね上げ板倒れ抑制部材を前記版胴の側面上に取り付けたことを特徴とする孔版印刷装置である。
【００２３】
また、第２の発明は、上記した第１の発明の孔版印刷装置において、
前記跳ね上げ板倒れ抑制部材は、前記跳ね上げ用カムによって押圧された前記カムフォロワーと当接して回動することにより、前記跳ね上げ板の側面の倒れ方向とは反対方向に該跳ね上げ板の側面を押圧することを特徴とする孔版印刷装置である。
【発明の効果】
【００２４】
第１の発明の孔版印刷装置によると、Ａ３サイズの用紙よりも大型サイズで例えばＡ２サイズの用紙を印刷可能とする孔版印刷装置を扱うにあたって、回転可能な版胴の外周面の一部に、クランプ板と跳ね上げ板とを開閉可能に取り付けた際、跳ね上げ板はクランプ板によるクランプを解除された孔版原紙の先端部を跳ね上げるための跳ね上げ面が版胴の軸方向に沿って長尺に形成され、且つ、跳ね上げ面の両端を曲げ形成した一対の側面にカムフォロワーが取り付けられており、孔版原紙Ｇの排版時に、跳ね上げ用カムによってカムフォロワーを押圧する動作に伴って跳ね上げ板の側面が版胴の側面側に倒れるのを抑制する跳ね上げ板倒れ抑制部材を版胴の側面上に取り付けている。
【００２５】
この結果、跳ね上げ板の跳ね上げ面がＡ２サイズに対応して長尺に形成され、且つ、跳ね上げ面の長手方向の中央部位の強度が弱くなっていても、排版時に跳ね上げ板倒れ抑制部材によって跳ね上げ板の側面に版胴の側面に向かう方向の倒れが発生しないので、跳ね上げ面の長手方向の中央部位は撓むことがないために、跳ね上げ面は排版ユニット内の部材に衝突することなく、孔版原紙を排版ユニットに向けて確実に排版できる。
【００２６】
また、第２の発明の孔版印刷装置によると、跳ね上げ板倒れ抑制部材は、跳ね上げ用カムによって押圧されたカムフォロワーと当接して回動することにより、跳ね上げ板の側面の倒れ方向とは反対方向に跳ね上げ板の側面を押圧している。これにより、上記第１の発明の効果に加え、カムフォロワーを押圧する動作に伴う跳ね上げ板と跳ね上げ板倒れ抑制部材との摩擦による磨耗を軽減することができる。
【図面の簡単な説明】
【００２７】
【図１】本発明に係る孔版印刷装置において、（ａ）は全体構成を示した構成図であり、（ｂ）はＡ部拡大図である。
【図２】図１に示したカム体駆動部の構成を示しており、（ａ）はカム体が上昇位置に至った図であり、（ｂ）カム体が下降位置に至った図である。
【図３】本発明に係る孔版印刷装置の第１実施形態を説明するための図であり、（ａ）は初期時を示した斜視図であり、（ｂ）は初期時を示した側面図であり、（ｃ）は排版時を示した側面図である。
【図４】本発明に係る孔版印刷装置の第１実施形態において、跳ね上げ板の動作を説明するための図であり、（ａ）は初期時を示した縦断面図であり、（ｂ）は排版時を示した縦断面図である。
【図５】本発明に係る孔版印刷装置の第２実施形態を説明するための図であり、（ａ）は初期時を示した斜視図であり、（ｂ）は初期時を示した側面図であり、（ｃ）は排版時を示した側面図である。
【図６】本発明に係る孔版印刷装置の第２実施形態において、跳ね上げ板の動作を説明するための図であり、（ａ）は初期時を示した縦断面図であり、（ｂ）は排版時を示した縦断面図であり、（ｃ）は排版終了時を示した縦断面図である。
【図７】一般的な孔版印刷装置において、Ａ２サイズの用紙と対応して版胴の軸方向の長さをＡ３サイズよりも約２倍程度長尺に形成した際に、孔版原紙への排版時に跳ね上げ板の跳ね上げ面の両端を曲げ形成した一対の側面に版胴の軸方向の一対の側面に向かって倒れが発生する状態を示した縦断面図である。
【発明を実施するための形態】
【００２８】
以下に本発明に係る孔版印刷装置の一実施形態について、図１〜図６を参照して詳細に説明する。
【００２９】
図１は本発明に係る孔版印刷装置の全体構成を示している。また、図２は図１に示したカム体駆動部の構成を示している。
【００３０】
まず、図１（ａ）に示す如く、本発明に係る孔版印刷装置１は、箱状に形成された筐体２内の略中央部位に印刷ユニット１０が設置されている。
【００３１】
この印刷ユニット１０では、円筒状の版胴１１が中心軸１２を中心してこの中心軸１２に連結されたエンコーダ付き版胴用モータ１３によって反時計方向に回転可能に設けられており、且つ、版胴１１の外周面１１ａが後述するインクＩＫを浸み出せるように多孔性を有して形成されている。尚、版胴１１の中心軸１２の一端面側には、インクＩＫを挿入するためのインク挿入口１２ａが形成されている。
【００３２】
また、版胴１１の下方で用紙搬送方向の上流側には、例えばＡ２サイズ（５９４ｍｍ×４２０ｍｍ）の未印刷の用紙Ｐを給紙するための給紙ユニット３が設置され、一方、版胴１１の下方で用紙搬送方向の下流側には印刷ユニット１０で印刷された印刷済みの用紙Ｐを排紙するための排紙ユニット４が設置されている。
【００３３】
また、筐体２内で版胴１１の上方部位の右方には、孔版原紙Ｇを製版するための製版ユニット５が設置されており、この製版ユニット５で製版された製版済みの孔版原紙Ｇの先端部Ｇａが版胴１１の外周面１１ａの上方部位に向けて搬送されるようになっている。
【００３４】
また、筐体２内で版胴１１の上方部位の左方には、使用済みの孔版原紙Ｇを版胴１１の外周面１１ａから取り外して排版するための排版ユニット６が設置されている。
【００３５】
また、筐体２内で版胴１１の外周面１１ａの下方中央部位には、プレスローラ７が版胴１１側に対して接離可能に設けられており、このプレスローラ７は用紙Ｐを印刷するときに用紙Ｐを介して版胴１１側に押圧するようになっている。
【００３６】
また、筐体２内で版胴１１の外周面１１ａの外側の下方部位には、印刷終了時に用紙Ｐを版胴１１側から分離するための用紙分離爪８が版胴１１の外周面１１ａに接近して設置されている。
【００３７】
更に、筐体２内の適宜な場所に孔版印刷装置１を全体的に制御する制御部９が設置されている。
【００３８】
上記から本発明に係る孔版印刷装置１では、Ａ３サイズ（４２０ｍｍ×２９７ｍｍ）の用紙よりも大型サイズで給紙ユニット３から搬送される例えばＡ２サイズ（５９４ｍｍ×４２０ｍｍ）の用紙Ｐを印刷ユニット１０で印刷可能に構成されている。
【００３９】
上記に伴って、版胴１１の直径φＤは、Ａ２サイズの用紙Ｐの短手方向の長さ４２０ｍｍと対応してφ１８０ｍｍ程度に設定されている。また、版胴１１の軸方向の長さは、Ａ２サイズの用紙Ｐの長手方向の長さ５９４ｍｍと対応して６３０ｍｍ程度に長尺に設定されている。
【００４０】
また、図１（ｂ）、及び、後述する図３（ａ），図５（ａ）に拡大して示す如く、版胴１１の外周面１１ａの一部には、版取付座１４がこの版胴１１の軸方向に沿って長尺に取り付けられており、且つ、版取付座１４上にゴム製の磁石板１５が取り付けられている。
【００４１】
また、着版時に製版ユニット５で製版した孔版原紙Ｇをクランプするためのクランプ板１６は、平坦なクランプ面１６ａを版取付座１４上の磁石板１５と対向させて開閉可能に設けられている。
【００４２】
上記したクランプ板１６は、磁性を有して厚みが１ｍｍのステンレス材（ＳＵＳ４００番台系）を用いて剛性を低く抑えて形成されている。
【００４３】
また、クランプ板１６は、孔版原紙Ｇの先端部Ｇａをクランプするためのクランプ面１６ａが版胴１１の軸方向に沿って長尺に形成され、且つ、クランプ面１６ａの長手方向の両端に一対の側面１６ｂ，（１６ｂ…図示せず）が版胴１１の軸方向と直交する一対の側面１１ｂ，（１１ｂ…図示せず）を跨ぐように曲げ形成されている。
【００４４】
また、クランプ板１６の一対の側面１６ｂ，（１６ｂ）は、版胴１１の一対の側面１１ｂ，（１１ｂ）側にこの軸方向と平行に横設した一対の第１回動軸１７，（１７…図示せず）を中心にして第１引張バネ１８により閉じ方向に付勢されて回動可能に設けられている。
【００４５】
更に、クランプ板１６の一対の側面１６ｂ，（１６ｂ）には、一対の第１軸１９，（１９…図示せず）を介して一対の第１カムフォロワー２０，（２０…図示せず）が版胴１１の一対の側面１１ｂ，（１１ｂ）よりも外側に突出して取り付けられている。
【００４６】
一方、排版時にクランプ板１６によるクランプを解除された使用済みの孔版原紙Ｇを版取付座１４上から跳ね上げるための跳ね上げ板２１は、平坦な跳ね上げ面２１ａを版取付座１４と対向させて開閉可能に設けられている。
【００４７】
上記した跳ね上げ板２１は、非磁性で厚みが１．２ｍｍのＳＵＳ３０４を用いてクランプ板１６よりも厚みを厚くして剛性を高めて形成されている。
【００４８】
また、跳ね上げ板２１は、孔版原紙Ｇの先端部Ｇａを跳ね上げるための跳ね上げ面２１ａが版胴１１の軸方向に沿って長尺に形成され、且つ、跳ね上げ面２１ａの長手方向の両端に一対の側面２１ｂ，（２１ｂ…図示せず）が版胴１１の軸方向と直交する一対の側面１１ｂ，（１１ｂ…図示せず）を跨ぐように曲げ形成されている。
【００４９】
また、跳ね上げ板２１の一対の側面２１ｂ，（２１ｂ）は、版胴１１の一対の側面１１ｂ，（１１ｂ）側にこの軸方向と平行に横設した一対の第２回動軸２２，（２２…図示せず）を中心にして第２引張バネ２３により閉じ方向に付勢されて回動可能に設けられている。
【００５０】
更に、跳ね上げ板２１の一対の側面２１ｂ，（２１ｂ）には、一対の第２軸２４，（２４…図示せず）を介して一対の第２カムフォロワー２５，（２５…図示せず）が版胴１１の一対の側面１１ｂ，（１１ｂ）よりも外側で且つ一対の第１カムフォロワー２０，（２０）よりも外側に突出して取り付けられている。
【００５１】
また、版胴１１の一対の側面１１ｂ，（１１ｂ）上で、跳ね上げ板２１の一対の側面２１ｂ，（２１ｂ）の下端２１ｂ１，（２１ｂ１）近傍には、第１実施形態又は第２実施形態の跳ね上げ板倒れ抑制部材２６又は２７が取り付けられており、これらの跳ね上げ板倒れ抑制部材２６又は２７については第１実施形態又は第２実施形態にて後述する。
【００５２】
図１（ａ）に戻り、版胴１１の上方部位には、クランプ板１６及び跳ね上げ板２１を開閉するためのカム体駆動部３０が版胴１１の一対の側面１１ｂ，（１１ｂ）よりも外側にそれぞれ設置されている。
【００５３】
上記したカム体駆動部３０は、図２（ａ），（ｂ）に示す如く、基台となるブラケット３１上に、カム体駆動源となるエンコーダ３２ａを有するエンコーダ付きパルスモータ３２と、このエンコーダ付きパルスモータ３２の軸に固着されたウォーム歯車３３と、このウォーム歯車３３に噛み合いながら軸３４の下方に軸支されたウォームホイール３５と、このウォームホイール３５と一体的に形成されて軸３４の上方に軸支された小径な第１歯車３６と、この第１歯車３６と噛み合いながら軸３７に軸支された大径な第２歯車３８と、この第２歯車３８に噛み合いながら軸３９に軸支されて扇型カム片４０ａを一体的に形成した第３歯車４０とが設けられている。
【００５４】
また、第３歯車４０の扇型カム片４０ａには、回動軸４１を中心に回動するカム体４２に形成したアーム当接部４２ａが接離自在になっている。
【００５５】
また、カム体４２は、アーム当接部４２ａの下方にクランプ板１６（図１）を開くためにこのクランプ板１６の側面１６ｂに取り付けた第１カムフォロワー２０に接離するクランプ用カム４２ｂと、跳ね上げ板２１（図１）を開くためにこの跳ね上げ板２１の側面２１ｂに取り付けた第２カムフォロワー２５に接離する跳ね上げ用カム４２ｃとが版胴１１（図１）側に向かってそれぞれ奥行き高さを違えて形成されている。
【００５６】
この際、カム体４２は、版胴１１（図１）の軸方向と平行に回動可能に設けた長尺な回動軸４１の両端側に一対のカム体４２，（４２…図示せず）が位相を合わせて固着されているものである。
【００５７】
また、カム体４２は、ブラケット３１とこのカム体４２のアーム当接部４２ａの左端との間に掛け渡した引張バネ４３によって上方に向かって付勢されている。
【００５８】
そして、図２（ａ）に示すように、エンコーダ３２ａが初期位置（待機位置）に至ってエンコーダ付きパルスモータ３２が停止している初期時（待機時）に、回転停止中の第３歯車４０の扇型カム片４０ａがカム体４２のアーム当接部４２ａから離間しているので、カム体４２が引張バネ４３の付勢力によって回動軸４１を中心にして時計方向に回動して、ブラケット３１のストッパ部３１ａで位置規制されている。
【００５９】
これにより、カム体４２は版胴１１から離間するように上昇して停止している。
【００６０】
一方、図２（ｂ）に示すように、エンコーダ３２ａからのパルス数が予め設定した所定のパルス数になるまでエンコーダ付きパルスモータ３２を動作させた時には、第３歯車４０の扇型カム片４０ａが回転してカム体４２のアーム当接部４２ａに当接する。これにより、カム体４２は引張バネ４３の付勢力に抗して回動軸４１を中心にして反時計方向に回動して、版胴１１側に向かって下降した後に停止している。
【００６１】
そして、下降したカム体４２のクランプ用カム４２ｂ及び跳ね上げ用カム４２ｃに版胴１１と一体に回転するクランプ板１６の側面１６ｂに取り付けた第１カムフォロワー２０及び跳ね上げ板２１の側面２１ｂに取り付けた第２カムフォロワー２５が当接することで、クランプ板１６及び跳ね上げ板２１を上方に向かって開くことができるようになっている。
【００６２】
以下、本発明に係る孔版印刷装置１における第１，第２実施形態について説明する。
［第１実施形態］
図３は本発明に係る孔版印刷装置の第１実施形態を示している。また、図４は本発明に係る孔版印刷装置の第１実施形態において、跳ね上げ板の動作を示している。
【００６３】
図３（ａ）に示す如く、本発明に係る孔版印刷装置１の第１実施形態では、Ａ２サイズ用としてクランプ板１６のクランプ面１６ａ及び跳ね上げ板２１の跳ね上げ面２１ａが版胴１１の軸方向に沿って長尺に形成されている。
【００６４】
そして、印刷ユニット１０（図１）で多数枚の用紙Ｐに対して印刷が終了した後、使用済みの孔版原紙Ｇを排版するために跳ね上げ板２１を排版時に開いたときに、跳ね上げ面２１ａの長手方向の両端に曲げ形成した一対の側面２１ｂ，（２１ｂ…図示せず）が版胴１１の一対の側面１１ｂ，（１１ｂ…図示せず）側に倒れるのを一対の跳ね上げ板倒れ抑制部材２６，（２６…図示せず）で抑制するように構成されている。
【００６５】
この第１実施形態では、一対の跳ね上げ板倒れ抑制部材２６，（２６）が、跳ね上げ板２１の一対の側面２１ｂ，（２１ｂ）の下端２１ｂ１，（２１ｂ１）の近傍で、版胴１１の軸方向と直交する一対の側面１１ｂ，（１１ｂ）上に固定して取り付けられている。
【００６６】
上記した跳ね上げ板倒れ抑制部材２６は、表面２６ａとこの表面２６ａよりも少し大径な裏面２６ｂとで台形円板状に形成されており、且つ、表面２６ａと裏面２６ｂとの間の厚みＴが、版胴１１の側面１１ｂと、跳ね上げ板２１の側面２１ｂのうちで版胴１１の側面と対向する裏面との間の間隔よりも僅かに薄い寸法で形成されている。
【００６７】
上記から跳ね上げ板倒れ抑制部材２６は、版胴１１の側面１１ｂと、跳ね上げ板２１の側面２１ｂのうちで版胴１１の側面１１ｂと対向する裏面との間に設けた板部材であるので、跳ね上げ板倒れ抑制部材２６の構造が簡単である。
【００６８】
上記の厚みＴに形成された跳ね上げ板倒れ抑制部材２６は、版胴１１の側面１１ｂ上で、孔版原紙Ｇへの排版時に跳ね上げ板２１の側面２１ｂの下端の裏面が表面２６ａに当接できる位置に取り付けられている。
【００６９】
そして、図３（ｂ）及び図４（ａ）に示す如く、孔版印刷装置１の初期時（待機時）には、先に図２（ａ）を用いて説明したようにカム体４２が上昇しているので、クランプ板１６の側面１６ｂに第１軸１９を介して取り付けた第１カムフォロワー２０及び跳ね上げ板２１の側面２１ｂに第２軸２４を介して取り付けた第２カムフォロワー２５はカム体４２から離間している。
【００７０】
これにより、初期時には、クランプ板１６のクランプ面１６ａ及び跳ね上げ板２１の跳ね上げ面２１ａが第１引張バネ１８及び第２引張バネ２３の各付勢力により閉じていると共に、跳ね上げ板２１の側面２１ｂの下端２１ｂ１は、版胴１１の側面１１ｂに固定して取り付けた跳ね上げ板倒れ抑制部材２６から離間している。
【００７１】
従って、初期時には、跳ね上げ板２１の側面２１ｂにカム体４２の跳ね上げ用カム４２ｃからの押し下げ力が加わらないので、跳ね上げ板２１の側面２１ｂは版胴１１の側面１１ｂ側に倒れることはないために、跳ね上げ板２１の跳ね上げ面２１ａの長手方向の中央部位は撓むことがない。
【００７２】
一方、図３（ｃ）及び図４（ｂ）に示す如く、孔版原紙Ｇを排版する排版時には、先に図２（ｂ）を用いて説明したようにカム体４２が下降しているので、版胴１１と一体に回転するクランプ板１６の側面１６ｂに取り付けた第１カムフォロワー２０及び跳ね上げ板２１の側面２１ｂに取り付けた第２カムフォロワー２５がカム体４２のクランプ用カム４２ｂ及び跳ね上げ用カム４２ｃに当接する。
【００７３】
これにより、クランプ板１６のクランプ面１６ａ及び跳ね上げ板２１の跳ね上げ面２１ａが、第１回動軸１７及び第２回動軸２２を中心にして第１引張バネ１８及び第２引張バネ２３の各付勢力に抗して上方に向かって共に開く。
【００７４】
この排版時に、カム体４２の跳ね上げ用カム４２ｃによって跳ね上げ板２１の側面２１ｂの下端２１ｂ１は下方に押し下げられるので、この下端２１ｂ１の裏面が版胴１１の側面１１ｂに取り付けた跳ね上げ板倒れ抑制部材２６の表面２６ａに当接する。
【００７５】
即ち、前記した厚みＴに形成された跳ね上げ板倒れ抑制部材２６は、版胴１１の側面１１ｂと跳ね上げ板２１の側面２１ｂの下端２１ｂ１の裏面との間に挟まれた状態になっているので、排版時に跳ね上げ板２１の側面２１ｂにカム体４２の跳ね上げ用カム４２ｃからの押し下げ力が加わっても、この側面２１ｂが版胴１１の側面１１ｂ側に倒れるのを跳ね上げ板倒れ抑制部材２６により規制されるために、跳ね上げ板２１の側面２１ｂの倒れが発生しない。
【００７６】
これにより、跳ね上げ板２１の跳ね上げ面２１ａがＡ２サイズに対応して長尺に形成され、且つ、跳ね上げ面２１ａの長手方向の中央部位の強度が弱くなっていても、排版時に跳ね上げ板倒れ抑制部２６材によって跳ね上げ板２１の側面２１ｂに版胴１１の側面１１ｂに向かう方向の倒れが発生しないので、跳ね上げ面２１ａの長手方向の中央部位は撓むことがないために、跳ね上げ面２１ａは排版ユニット６内の部材に衝突することなく、孔版原紙Ｇを排版ユニット６に向けて確実に排版できる。
［第２実施形態］
図５は本発明に係る孔版印刷装置の第２実施形態を示している。また、図６は本発明に係る孔版印刷装置の第２実施形態において、跳ね上げ板の動作を示している。
【００７７】
図５（ａ）に示す如く、本発明に係る孔版印刷装置１の第２実施形態でも、第１実施形態と同様に、Ａ２サイズ用としてクランプ板１６のクランプ面１６ａ及び跳ね上げ板２１の跳ね上げ面２１ａが版胴１１の軸方向に沿って長尺に形成されている。
【００７８】
そして、印刷ユニット１０（図１）で多数枚の用紙Ｐに対して印刷が終了した後、使用済みの孔版原紙Ｇを排版するために跳ね上げ板２１を排版時に開いたときに、跳ね上げ面２１ａの長手方向の両端に曲げ形成した一対の側面２１ｂ，（２１ｂ…図示せず）が版胴１１の軸方向と直交する一対の側面１１ｂ，（１１ｂ…図示せず）側に倒れるのを一対の跳ね上げ板倒れ抑制部材２７，（２７…図示せず）で抑制するように構成されている。
【００７９】
この第２実施形態では、一対の跳ね上げ板倒れ抑制部材２７，（２７）が、跳ね上げ板２１の一対の側面２１ｂ，（２１ｂ）に一対の第２軸２４，（２４）を介して取り付けた一対の第２カムフォロワー２５，（２５）及び一対の側面２１ｂ，（２１ｂ）の下端２１ｂ１，（２１ｂ１）の近傍で、版胴１１の一対の側面１１ｂ，（１１ｂ）上に回動可能に取り付けられている。
【００８０】
上記した跳ね上げ板倒れ抑制部材２７は、版胴１１の側面１１ｂに沿って垂下されて跳ね上げ板２１の側面２１ｂのうちで版胴１１の側面と対向する裏面を接離自在に押圧する押圧片２７ａと、この押圧片２７ａの下端に一端を水平に連接して他端を跳ね上げ板２１の側面２１ｂに第２軸２４を介して取り付けた第２カムフォロワー２５に向かって突出させた板状の連結板２７ｂと、この連結板２７ｂの他端から上方に向かい且つ上部が第２カムフォロワー２５に接離自在に当接する当接片２７ｃとで上向きコ字状に一体形成されている。
【００８１】
また、跳ね上げ板倒れ抑制部材２７の押圧片２７ａと連結板２７ｂとが交差する部位に回動軸２８とネジリバネ２９とが嵌め込まれており、且つ、回動軸２８は版胴１１の側面１１ｂに取り付けた一対のブラケットＢＲ，ＢＲ間に軸支されている。
【００８２】
上記から跳ね上げ板倒れ抑制部材２７は、跳ね上げ板２１の側面２１ｂに取り付けた第２カムフォロワー２５が当接する当接片２７ｃと、跳ね上げ板２１の側面２１ｂのうちで版胴１１の側面１１ｂと対向する裏面を押圧する押圧片２７ａとを間隔を隔てて対向させて連結板２７ｂで連結した状態で回動する回動部材であるので、後述するように跳ね上げ板倒れ抑制部材２７の押圧片２７ａにより跳ね上げ板２１の側面２１ｂに対して倒れが生じない方向に押圧することができる。
【００８３】
そして、図５（ｂ）及び図６（ａ）に示す如く、孔版印刷装置１の初期時（待機時）には、先に説明した第１実施形態と同様に、カム体４２｛図２（ａ）｝が上昇しているので、クランプ板１６のクランプ面１６ａ及び跳ね上げ板２１の跳ね上げ面２１ａが第１引張バネ１８及び第２引張バネ２３の各付勢力により共に閉じている。
【００８４】
この時、跳ね上げ板２１の側面２１ｂに取り付けた第２カムフォロワー２５及び跳ね上げ板２１の側面２１ｂの下端は、版胴１１の側面１１ｂに回動可能に設置した跳ね上げ板倒れ抑制部材２７から離間している。
【００８５】
また、跳ね上げ板倒れ抑制部材２７は、初期時に回動軸２８を中心にしてネジリバネ２９の付勢力によって押圧片２７ａが版胴１１の側面１１ｂに当接することで回動を規制されていると共に、連結板２７ｂが版胴１１の側面１１ｂよりも外側に向かって水平に突出して当接片２７ｃが第２カムフォロワー２５の下方で待機している。
【００８６】
従って、初期時には、跳ね上げ板２１の側面２１ｂにカム体４２の跳ね上げ用カム４２ｃからの押し下げ力が加わらないので、跳ね上げ板２１の側面２１ｂは版胴１１の側面１１ｂ側に倒れることはないために、跳ね上げ板２１の跳ね上げ面２１ａの長手方向の中央部位は撓むことがない。
【００８７】
一方、図５（ｃ）及び図６（ｂ）に示す如く、孔版原紙Ｇを排版する排版時には、先に説明した第１実施形態と同様に、カム体４２｛図２（ｂ）｝が下降しているので、クランプ板１６のクランプ面１６ａ及び跳ね上げ板２１の跳ね上げ面２１ａが、第１回動軸１７及び第２回動軸２２を中心にして第１引張バネ１８及び第２引張バネ２３の各付勢力に抗して上方に向かって共に開く。
【００８８】
この時、下降しているカム体４２の跳ね上げ用カム４２ｃで跳ね上げ板２１の側面２１ｂに取り付けた第２カムフォロワー２５を下方に押し下げるので、第２カムフォロワー２５が跳ね上げ板倒れ抑制部材２７の当接片２７ｃの上部に当接する。
【００８９】
これに伴って、跳ね上げ板倒れ抑制部材２７は、回動軸２８を中心してネジリバネ２９の付勢力に抗して当接片２７ｃが下がる方向に回動するので、この当接片２７ｃと連結板２７ｂを介して対向した押圧片２７ａが跳ね上げ板２１の側面２１ｂの下端の裏面を版胴１１の側面１１ｂから離間する方向に押圧する。
【００９０】
上記した跳ね上げ板倒れ抑制部材２７の動作を言い換えると、跳ね上げ板倒れ抑制部材２７は、カム体４２の跳ね上げ用カム４２ｃによって押圧された第２カムフォロワー２５と当接して回動することにより、跳ね上げ板２１の側面２１ｂの倒れ方向とは反対方向に跳ね上げ板２１の側面２１ｂを押圧していることになる。
【００９１】
これにより、第２カムフォロワー２５を押圧する動作に伴う跳ね上げ板２１と跳ね上げ板倒れ抑制部材２７との摩擦による磨耗を軽減することができる。
【００９２】
従って、排版時に跳ね上げ板２１の側面２１ｂにカム体４２の跳ね上げ用カム４２ｃからの押し下げ力が加わっても、この側面２１ｂが版胴１１の側面１１ｂ側に倒れるのを跳ね上げ板倒れ抑制部材２７の押圧片２７ａにより規制されるので、跳ね上げ板２１の側面２１ｂの倒れが発生しない。
【００９３】
これにより、跳ね上げ板２１の跳ね上げ面２１ａがＡ２サイズに対応して長尺に形成され、且つ、跳ね上げ面２１ａの長手方向の中央部位の強度が弱くなっていても、排版時に跳ね上げ板倒れ抑制部材２７によって跳ね上げ板２１の側面２１ｂに版胴１１の側面１１ｂに向かう方向の倒れが発生しないので、跳ね上げ面２１ａの長手方向の中央部位は撓むことがないために、跳ね上げ面２１ａは排版ユニット６内の部材に衝突することなく、孔版原紙Ｇを排版ユニット６に向けて確実に排版できる。
【００９４】
更に、図６（ｃ）に示す如く、孔版原紙Ｇへの排版が終了したときには、カム体４２の跳ね上げ用カム４２ｃが上昇して跳ね上げ板２１の側面２１ｂに取り付けた第２カムフォロワー２５から離間するので、跳ね上げ板倒れ抑制部材２７はネジリバネ２９の付勢力で初期状態に戻ることができる。
【符号の説明】
【００９５】
１…孔版印刷装置、２…筐体、３…給紙ユニット、４…排紙ユニット、
５…製版ユニット、６…排版ユニット、７…プレスローラ、８…用紙分離爪、
９…制御部、１０…印刷ユニット、
１１…版胴、１１ａ…外周面、１１ｂ…側面、１２…中心軸、
１３…エンコーダ付き版胴用モータ、１４…版取付座、１５…磁石板、
１６…クランプ板、１６ａ…クランプ面、１６ｂ…側面、１７…第１回動軸、
１８…第１引張バネ、１９…第１軸、２０…第１カムフォロワー、
２１…跳ね上げ板、２１ａ…跳ね上げ面、２１ｂ…側面、２１ｂ１…側面の下端、
２２…第２回動軸、２３…第２引張バネ、２４…第２軸、２５…第２カムフォロワー、
２６…第１実施形態における跳ね上げ板倒れ抑制部材、２６ａ…表面、
２７…第２実施形態における跳ね上げ板倒れ抑制部材、２７ａ…押圧片、
２７ｂ…連結板、２７ｃ…当接片、２８…回動軸、２９…ネジリバネ、
３１…ブラケット、３２…エンコーダ付きパルスモータ、３２ａ…エンコーダ、
３３…ウォーム歯車、３５…ウォームホイール、３６…第１歯車、３８…第２歯車、
４０…第３歯車、４０ａ…扇型カム片、４１…回動軸、
４２…カム体、４２ａ…アーム当接部、４２ｂ…クランプ用カム、
４２ｃ…跳ね上げ用カム、４３…引張バネ、
Ｇ…孔版原紙、Ｇａ…先端部、ＩＫ…インク、Ｐ…用紙。
【図１】
2015142983.tif 000003
【図２】
2015142983.tif 000004
【図３】
2015142983.tif 000005
【図４】
2015142983.tif 000006
【図５】
2015142983.tif 000007
【図６】
2015142983.tif 000008
【図７】
2015142983.tif 000009